(57)【要約】【課題】一度に整合するシートの枚数を変更することでシートの整合性を向上させる後処理装置を提供する。【解決手段】本発明の後処理装置４は、順次搬入される画像形成後のシートを載置する処理トレイ４２と、処理トレイ４２に搬入されたシートを整合する整合板６１Ａ，６１Ｂと、整合板６１Ａ，６１Ｂの整合動作を制御可能なＣＰＵ１００と、を備える。ＣＰＵ１００は、前記処理トレイ４２上におけるシートの条件および環境条件の少なくとも一方に基づいて整合板６１Ａ，６１Ｂが一度に整合するシートの枚数を制御する。【選択図】図５
2010168125.tif 000002
【特許請求の範囲】
【請求項１】
順次搬入される画像形成後のシートを載置する処理トレイと、
前記処理トレイに搬入されたシートを整合する整合部と、
前記整合部の整合動作を制御可能な制御部と、
を備え、
前記制御部は、前記処理トレイ上におけるシートの条件および環境条件の少なくとも一方に基づいて前記整合部が一度に整合するシートの枚数を制御する後処理装置。
【請求項２】
前記制御部は、搬入されるシートの厚みが小さいほど前記整合部が一度に整合するシートの枚数を増加させる請求項１に記載の後処理装置。
【請求項３】
前記制御部は、搬入されるシートの搬入方向に直交する方向におけるサイズが小さいほど前記整合部が一度に整合するシートの枚数を増加させる請求項１または２に記載の後処理装置。
【請求項４】
前記制御部は、前記処理トレイに載置されているシートの枚数が多いほど前記整合部が一度に整合するシートの枚数を増加させる請求項１〜３のいずれか１項に記載の後処理装置。
【請求項５】
前記制御部は、湿度が高いほど前記整合部が一度に整合するシートの枚数を増加させる請求項１〜４のいずれか１項に記載の後処理装置。
【請求項６】
シートに画像形成を行う画像形成部と、
前記画像形成部から搬入されたシートの後処理を行う請求項１〜５のいずれか１項に記載の後処理装置と、
を備える画像形成装置。
【発明の詳細な説明】
【技術分野】
【０００１】
本発明は、シートの後処理を行う後処理装置およびこの後処理装置を備える画像形成装置に関する。
【背景技術】
【０００２】
従来の後処理装置では、処理トレイにシートが１枚搬入されるごとに整合板によってシートを整合していた。しかし、整合板の位置精度にはばらつきがあるため、シートの整合性が悪くなる問題があった。
【０００３】
そこで、一対の整合板のうち一方を剛体から構成し、他方を弾性体から構成することにより、シートの整合性を向上させる技術が開示されている（例えば、特許文献１参照。）。
【先行技術文献】
【特許文献】
【０００４】
【特許文献１】特開２００６−１２４１５６号公報
【発明の概要】
【発明が解決しようとする課題】
【０００５】
シートが処理トレイに搬入されて処理トレイの下端部まで移動したとき、キャタピラベルトは、その自重によりシート上に接触している。この状態において、シートは、シートとキャタピラベルトとの間に生じる摩擦によって搬入方向に直交する方向に移動しにくくなっているため、整合処理の際に整合板がシートに接触してもシートが撓んでしまい、整合性が悪くなることがあった。この課題は、上記の特許文献１等の従来技術では解決できないものであった。
【０００６】
そこで本発明の目的は、上記課題に鑑み、一度に整合するシートの枚数を変更することでシートの整合性を向上させる後処理装置を提供することにある。
【課題を解決するための手段】
【０００７】
本発明の後処理装置は、順次搬入される画像形成後のシートを載置する処理トレイと、前記処理トレイに搬入されたシートを整合する整合部と、前記整合部の整合動作を制御可能な制御部と、を備える。前記制御部は、前記処理トレイ上におけるシートの条件および環境条件の少なくとも一方に基づいて前記整合部が一度に整合するシートの枚数を制御する。
【０００８】
この構成では、整合部によって一度に整合されるシートの枚数を処理トレイ上におけるシートの条件および環境条件の少なくとも一方に基づいて変更することでシートの腰を強化し、シートの整合の際にシートとキャタピラベルトとの間に生じる摩擦によってシートが撓むことを防ぐことができる。したがって、様々な条件下においてもシートの整合性を向上させることができる。
【０００９】
前記制御部は、搬入されるシートの厚みが小さいほど前記整合部が一度に整合するシートの枚数を増加させると好ましい。
【００１０】
シートの厚みが小さければ、その分シートの腰が弱くなり、シートの整合の際にシートとキャタピラベルトとの間に生じる摩擦によってシートが撓みやすくなる。そこでこの構成では、シートの厚みが小さいほど整合部が一度に整合するシートの枚数を増加させることによりシートの腰を強化し、前記摩擦によってシートが撓むことを防止することができる。したがって、シートの厚みが小さくてもシートの整合性が悪くなることがない。
【００１１】
前記制御部は、搬入されるシートの搬入方向に直交する方向におけるサイズが小さいほど前記整合部が一度に整合するシートの枚数を増加させると好ましい。
【００１２】
シートの搬入方向に直交する方向におけるサイズが小さければ、その分整合処理の際にシートの移動量が大きくなり、シートとキャタピラベルトとの間に生じる摩擦によってシートが撓みやすくなる。そこでこの構成では、シートの搬入方向に直交する方向におけるサイズが小さいほど整合部が一度に整合するシートの枚数を増加させることによりシートの腰を強化し、前記摩擦によってシートが撓むことを防止することができる。したがって、シートの搬入方向に直交する方向におけるサイズが小さくてもシートの整合性が悪くなることがない。
【００１３】
前記制御部は、前記処理トレイに載置されているシートの枚数が多いほど前記整合部が一度に整合するシートの枚数を増加させると好ましい。
【００１４】
処理トレイに載置されているシートの枚数が多ければ、その分キャタピラベルトのシート上における接触面積が大きくなり、シートとキャタピラベルトとの間に生じる摩擦によってシートが撓みやすくなる。そこでこの構成では、処理トレイに載置されているシートの枚数が多いほど整合部が一度に整合するシートの枚数を増加させることによりシートの腰を強化し、前記摩擦によってシートが撓むことを防止することができる。したがって、処理トレイに載置されているシートの枚数が多くてもシートの整合性が悪くなることがない。
【００１５】
前記制御部は、湿度が高いほど前記整合部が一度に整合するシートの枚数を増加させると好ましい。
【００１６】
湿度が高ければ、その分シートの腰が弱くなり、シートの整合の際にシートとキャタピラベルトとの間に生じる摩擦によってシートが撓みやすくなる。そこでこの構成では、湿度が高いほど整合部が一度に整合するシートの枚数を増加させることによりシートの腰を強化し、前記摩擦によってシートが撓むことを防止することができる。したがって、湿度が高くてもシートの整合性が悪くなることがない。
【発明の効果】
【００１７】
本発明における後処理装置は、一度に整合するシートの枚数を変更することでシートの整合性を向上させる。
【図面の簡単な説明】
【００１８】
【図１】本発明の第１実施形態に係る画像形成装置の構成を示す図である。
【図２】本発明の第１実施形態に係る後処理装置が画像形成ユニットから引き出された状態を示す図である。
【図３】本発明の第１実施形態に係る後処理装置の構成を示す図である。
【図４】本発明の第1実施形態に係る後処理装置の構成を示す図である。
【図５】本発明の第１実施形態に係る後処理装置の制御部を示すブロック図である。
【図６】本発明の第１実施形態に係る後処理装置における制御部の制御内容を示すフローチャートである。
【図７】本発明の第２実施形態に係る後処理装置の処理トレイにおけるシートの搬入位置を示す図である。
【図８】本発明の第２実施形態に係る後処理装置における制御部の制御内容を示すフローチャートである。
【図９】本発明の第３実施形態に係る後処理装置のシートとキャタピラベルトとの接触領域を示す図である。
【図１０】本発明の第３実施形態に係る後処理装置における制御部の制御内容を示すフローチャートである。
【図１１】本発明の第４実施形態に係る後処理装置における制御部の制御内容を示すフローチャートである。
【発明を実施するための形態】
【００１９】
以下、本発明の実施形態に係る後処理装置を、図面を参照にしつつ詳細に説明する。
【００２０】
図１は、本発明の第１実施形態に係る画像形成装置の構成を示す図である。
【００２１】
画像形成装置１は、シートの給紙処理、印字処理（画像形成処理）および定着処理などを行う画像形成ユニット２と、原稿画像の読取処理などを行う画像読取ユニット３と、画像形成ユニット２から排紙されたシートに対して綴じ処理や穴あけ処理等の後処理を行う後処理装置４とで構成されている。以下、各ユニットの構成について説明する。
【００２２】
画像形成ユニット２は、外装ケーシング５内に給紙部６、印字部７、定着部８および排紙部９がそれぞれ組み込まれて構成される。給紙部６は、シートが収納される給紙カセット１０および給紙カセット１０内のシートを順次１枚ずつ分離して給送する給紙ローラ（図示せず）で構成される。図１においては、複数の給紙カセット１０を有し、各給紙カセット１０内に収納されるシートを選択的に給送可能な場合について示している。給紙カセット１０から給送されたシートは、外装ケーシング５の上方に向けて形成された給紙経路１１を搬送される。給紙経路１１を搬送されるシートの搬送先にレジストローラ１２が配設されている。レジストローラ１２によるシートの搬送先に、印字部７が設けられている。
【００２３】
印字部７は、静電印刷、インクジェット印刷、シルクスクリーン印刷など種々の印刷機構で構成することが可能であるが、図１においては静電印刷機構を示している。印字部７は、静電ドラム１３、印字ヘッド１４、現像器１５、転写チャージャ１６およびクリーニングヘッド１７で構成される。例えば、画像読取ユニット３から読み込んだ画像データが順次印字ヘッド１４に送られる。印字ヘッド１４は、画像データに応じてレーザ光などの光を静電ドラム１３に照射することで潜像を形成する。現像器１５が静電ドラム１３に形成した潜像に対してトナーを付着させ、転写チャージャ１６が静電ドラム１３上のトナーを搬送されるシートに転写することでシート上に画像が形成される。なお、シートの先端を転写領域に送り込むタイミングはレジストローラ１２により制御される。クリーニングヘッド１７は、転写後に静電ドラム１３に残存するトナーを除去する。
【００２４】
印字部７からのシートの送り先に定着部８が設けられている。定着部８は、一対の定着ローラ１８を備え、この定着ローラ１８でシート上に形成された画像を加熱定着する。定着ローラ１８は、例えば、１５０℃〜２００℃の熱をシート上の画像に付加してトナーを凝固する。定着部８で定着処理が施されたシートは、排紙部９に送り込まれる。排紙部９は、後処理装置４に向けて形成された排紙口１９にシートを案内する排紙経路２０と、この排紙経路２０上に設けられた一対の排紙ローラ２１とで構成される。排紙部９に送り込まれたシートは、排紙経路２０を搬送され、排紙ローラ２１により排紙口１９から後処理装置４に排紙される。
【００２５】
画像読取ユニット３は、画像形成ユニット２の上部に配置され、画像を読み取るいわゆるスキャナとして広く知られている。画像読取ユニット３は、上面に原稿載置台２２が形成されたケーシング２３を有している。ケーシング２３の内部には、ガラスなどで形成したプラテンが設けられ、このプラテンの下部に光源ランプ、結像レンズなどの光学機構および光電変換素子が設けられている。一方、プラテンの上方には原稿載置台２２上の原稿をプラテンに順次搬送するフィーダが設けられている。フィーダでプラテン上に搬送した原稿に対して光源ランプで光を照射し、その反射光をミラー、レンズなどの結像光学機構でラインセンサその他の光電変換素子に結像することで画像を電気的に読み取るようになっている。
【００２６】
後処理装置４は、画像形成ユニット２と画像読取ユニット３との間に配置され、画像形成ユニット２から引出し可能に組み込まれている。
【００２７】
図２は、本発明の第１実施形態に係る後処理装置が画像形成ユニットから引き出された状態を示す図である。
【００２８】
後処理装置４は、画像形成ユニット２から送り込まれたシートを搬送する搬送経路が形成されたシート搬送部４１と、シート搬送部４１により搬送されたシートを一時的に載置する処理トレイ４２と、処理トレイ４２上に載置されたシートに綴じ処理や穴あけ処理等の後処理を施す処理部４３と、後処理が施された後のシートが排出される集積トレイ４４とを備える。後処理装置４が画像形成ユニット２に押し込まれた状態において、シート搬送部４１に形成される搬送経路は、画像形成ユニット２の排紙口１９に連結されるように構成されている。
【００２９】
図３は、本発明の第１実施形態に係る後処理装置の構成を示す図である。
【００３０】
シート搬送部４１には、画像形成ユニット２から送り込まれたシートを水平方向に搬送する搬送経路４５が形成されている。この搬送経路４５上に搬送ローラ４６，４７が、ローラの一部を搬送経路４５上に露出するように取り付けられている。搬送ローラ４６よりも僅かにシートの搬送方向下流側に、搬送されるシートの先端および後端を検出する入口センサＳ１が設けられている。
【００３１】
搬送ローラ４７は、搬送経路４５の終端部近傍に取り付けられ、シートを処理トレイ４２に排出する。搬送ローラ４７には、位置決め部材５５にシートを移送するとともに、処理トレイ４２上のシートを集積トレイ４４側に送り出すキャタピラベルト４８が取り付けられている。キャタピラベルト４８の他端は、搬送ローラ４７のローラ軸４７Ａに揺動自在に軸承した支持アーム４９に取り付けたプーリ５０に取り付けられている。ローラ軸４７Ａを中心にキャタピラベルト４８は揺動自在に支持され、その先端は処理トレイ４２に載置されたシート上に当接し、ローラ軸４７Ａによって回転駆動される。
【００３２】
搬送ローラ４７から一定距離離れた位置に排紙ローラ５１Ａ，５１Ｂが取り付けられている。排紙ローラ５１Ａ，５１Ｂは、処理トレイ４２に載置されたシートを集積トレイ４４に排出する際に用いられる。排紙ローラ５１Ａは、一定距離離れた位置に設けられた駆動ローラ５２のローラ軸５３を支点として上下方向に揺動可能に構成されたシート排紙機構５４の先端部に取り付けられている。シート排紙機構５４は、処理トレイ４２上のシートを集積トレイ４４に排出する際、排紙ローラ５１Ａを当該シート位置まで下降させる。なお、排紙ローラ５１Ａおよび駆動ローラ５２には、伝達ベルト（図示せず）が巻回され、駆動ローラ５２の回転駆動力が排紙ローラ５１Ａに伝達されるようになっている。
【００３３】
シート排紙機構５４の下方側に処理トレイ４２が配置されている。処理トレイ４２は、図示左方側が上方に傾斜した状態で取り付けられている。処理トレイ４２に排出されたシートは、自重およびキャタピラベルト４８の駆動力により図示右方側の下端部まで移動する。処理トレイ４２の下端部には、シート幅方向に沿って複数の位置決め部材５５が取り付けられている。位置決め部材５５は、処理トレイ４２の上端部側に向けて開口する断面略コ字型の形状を有する。位置決め部材５５にシートの先端が当接することで、処理トレイ４２上のシートの位置が決定される。なお、図３においては、位置決め部材５５により位置決めされたシートの例を二点鎖線で示している。
【００３４】
処理トレイ４２の下端部の先に、処理部４３が配置されている。処理部４３は、処理トレイ４２の下端部を収容する収容部４３Ａを有し、処理トレイ４２上のシートの所定位置に対して後処理を施す。本実施形態では、後処理として綴じ処理のみを行う処理部について説明するものとする。
【００３５】
図４は、本発明の第1実施形態に係る後処理装置の構成を示す図である。
【００３６】
図４に示すように、３つの位置決め部材５５が、図示矢印Ａで示すシートの搬送方向と直交する方向（図示矢印Ｂ，Ｃで示す方向）に沿って処理トレイ４２の下端部に取り付けられている。処理部４３は、収容部４３Ａで位置決め部材５５により位置決めされたシートの先端部を収容することとなる。
【００３７】
ここで、処理部４３の構成について説明する。処理部４３は、そのハウジング内にステープル機構を備えている。ステープル機構は、ヘッド部およびアンビル部から構成される。ヘッド部は、針状のステープルをコ字状に折り曲げて打ち出し、処理トレイ４２上のシートに圧入する。アンビル部は、ヘッド部から打ち出されたステープル針の先端を受けて折り曲げる。これにより、処理トレイ４２上のシートに対して綴じ処理が施されるように構成されている。
【００３８】
処理トレイ４２の下方側に、図示矢印Ｂ，Ｃで示す方向に沿って処理部４３の移動用シャフト５６が配設されている。移動用シャフト５６は、その端部において後処理装置４のユニットフレームに固定され、処理部４３の側面部に固定されたシャフト保持部５７に形成された嵌合穴５７Ａを貫通している。移動用シャフト５６よりも上側に、移動用シャフト５６と略平行にタイミングベルト５８が取り付けられている。タイミングベルト５８は、ユニットフレームの端部近傍に設けられたプーリ５９Ａ，５９Ｂ（５９Ｂは図示せず）に架橋され、その所定位置で処理部４３に固定されている。プーリ５９Ａには、伝達ギアを介してユニット移動モータ６０からの回転駆動力が伝達される。このユニット移動モータ６０を正転／逆転駆動することで、処理部４３が図示矢印Ｂ，Ｃ方向に沿って移動可能に構成されている。
【００３９】
処理トレイ４２におけるシート搬送経路上に、断面Ｌ字状の整合板６１Ａ，６１Ｂが取り付けられている。処理トレイ４２にはシート搬送方向と直交する方向にスリット溝６２が形成され、このスリット溝６２に整合板６１Ａ，６１Ｂが図示矢印Ｂ，Ｃに沿って摺動可能に取り付けられている。整合板６１Ａ，６１Ｂは、シートの側縁部を幅寄せしてシートを処理トレイ４２上の所定位置に移動させる。
【００４０】
また、後処理装置４は、処理トレイ４２の側端部に固定される側板６３を有している。側板６３は、処理トレイ４２上を搬送されるシートが処理トレイ４２上から外れて搬送されるのを防止するために設けられている。
【００４１】
図５は、本発明の第１実施形態に係る後処理装置の制御部を示すブロック図である。
【００４２】
後処理装置４は、制御部としてのＣＰＵ１００を備える。ＣＰＵ１００は、後処理装置４の各部と接続し、各部を総括的に制御する。ここでは、ＣＰＵ１００と接続する各部のうち主要な構成のみを示す。
【００４３】
ＣＰＵ１００は、後処理装置４の制御を実行する際、ＲＯＭ１５１に格納された制御プログラムを読み出すとともに、ＲＡＭ１５２を作業領域として使用する。
【００４４】
湿度センサ１４０は、環境湿度を測定し、その情報をＣＰＵ１００に伝達する。入口センサＳ１は、図３で説明したように、搬送ローラ４６よりも僅かにシートの搬送方向下流側に設けられ、搬送されるシートの先端および後端を検出する。
【００４５】
モータドライバ１６１は、整合板６１Ａを駆動するためのモータと接続し、モータドライバ１６２は、整合板６１Ｂを駆動するためのモータと接続する。ＣＰＵ１００は、モータドライバ１６１，１６２を介して整合板６１Ａ，６１Ｂの整合タイミングを制御する。
【００４６】
未整合シートカウンタ１７０は、処理トレイ４２に搬入されたシートのうち、整合板６１Ａ，６１Ｂによって整合処理が施されていないシートの枚数をカウントする。具体的には、搬送経路４５を搬送されたシートが入口センサＳ１によって検出されると、その検出信号を受け取ったＣＰＵ１００は、未整合シートカウンタ１７０のカウント値をインクリメントする。そして、ＣＰＵ１００がモータドライバ１６１，１６２を介して整合板６１Ａ，６１Ｂによってシートの整合処理を施すと、ＣＰＵ１００は、未整合シートカウンタ１７０のカウント値をリセットする。
【００４７】
積載枚数カウンタ１３０は、処理トレイ４２に搬入されて積載されたシートの枚数をカウントする。具体的には、搬送経路４５を搬送されたシートが入口センサＳ１によって検出されると、その検出信号を受け取ったＣＰＵ１００は、積載枚数カウンタ１３０のカウント値をインクリメントする。そして、ＣＰＵ１００が処理トレイ４２上のシート束を集積トレイ４４に送り出すと、ＣＰＵ１００は、積載枚数カウンタ１３０のカウント値をリセットする。
【００４８】
ＣＰＵ１００は、画像形成ユニット２とも接続している。ＣＰＵ１００は、画像形成ユニット２から、印刷ジョブが開始されたことを示す印刷ジョブ信号１１２、シートを印刷する際の印刷モード（本実施形態では、厚紙モード、普通紙モードおよび薄紙モード）を示すシート種類信号１１０および印刷するシートのサイズ（第２実施形態では、Ａ４横、Ａ４縦およびＢ５縦）を示すシートサイズ信号１２０を受け取り、本実施形態の制御を行う。
【００４９】
図６は、本発明の第１実施形態に係る後処理装置における制御部の制御内容を示すフローチャートである。
【００５０】
処理トレイ４２上のシートを整合処理する際には、図３に示すようにキャタピラベルト４８が自重によってシート上に接触しているため、シートとキャタピラベルトとの間に生じる摩擦によってシートの整合性が悪くなることがある。また、シートの厚みが小さいほどシートの腰が弱くなるため、シートの整合性はシートの厚みが小さいほど悪くなる。そこで、本実施形態では、ＣＰＵ１００が処理トレイ４２上におけるシートの条件に基づいて、すなわちＣＰＵ１００が処理トレイ４２に搬入されるシートの厚みが小さいほど整合板６１Ａ，６１Ｂが一度に整合するシートの枚数を増加させる制御を行う例を示す。ここでは、ＣＰＵ１００の整合処理に関するフローのみを示す。
【００５１】
ＣＰＵ１００は、画像形成ユニット２から印刷ジョブ信号１１２を受け取るまで待機する（Ｓ１０のＮ）。ＣＰＵ１００は、画像形成ユニット２から印刷ジョブ信号１１２を受け取ると（Ｓ１０のＹ）、同時に受け取ったシート種類信号１１０が厚紙モードを示す信号であるかどうかを判断する（Ｓ２０）。ＣＰＵ１００は、Ｓ２０で厚紙モードであると判断すると（Ｓ２０のＹ）、処理トレイ４２にシートが搬入されるまで待機する（Ｓ３０のＮ）。ＣＰＵ１００は、処理トレイ４２にシートが搬入されると（Ｓ３０のＹ）、整合板６１Ａ，６１Ｂを動作させてシートの整合処理を行う（Ｓ４０）。その後、ＣＰＵ１００は、印刷ジョブ信号１１２に基づいてさらに処理トレイ４２にシートが搬入されてくるかどうかを判断する（Ｓ５０）。ＣＰＵ１００は、さらに処理トレイ４２にシートが搬入されてくると判断すると（Ｓ５０のＹ）、Ｓ２０の判断に戻る。ＣＰＵ１００は、Ｓ５０においてシートが搬入されてこないと判断すると（Ｓ５０のＮ）、未整合シートカウンタ１７０のカウント値を参照し、処理トレイ４２上のシートが全て整合済であるかどうかを判断する（Ｓ６０）。ＣＰＵ１００は、Ｓ６０で未整合のシートがあると判断すると（Ｓ６０のＮ）、未整合のシートを整合処理する（Ｓ４０）（本実施形態では、Ｓ２０でＹのときにはこの経路には行かない）。ＣＰＵ１００は、Ｓ６０で処理トレイ４２上のシートが全て整合済であると判断すると（Ｓ６０のＹ）、本実施形態の制御を終了する。
【００５２】
ＣＰＵ１００は、Ｓ２０で厚紙モードではないと判断すると（Ｓ２０のＮ）、シート種類信号１１０が普通紙モードを示す信号であるかどうかを判断する（Ｓ７０）。ＣＰＵ１００は、Ｓ７０で普通紙モードであると判断すると（Ｓ７０のＹ）、処理トレイ４２にシートが搬入されるまで待機する（Ｓ８０のＮ）。ＣＰＵ１００は、処理トレイ４２にシートが搬入されると（Ｓ８０のＹ）、未整合シートカウンタ１７０のカウント値を参照し、処理トレイ４２上に未整合のシートが２枚あるかどうかを判断する（Ｓ９０）。ＣＰＵ１００は、処理トレイ４２上に未整合のシートが２枚あると判断すると（Ｓ９０のＹ）、整合板６１Ａ，６１Ｂを動作させてシートの整合処理を行う（Ｓ４０）。ＣＰＵ１００は、処理トレイ４２上に未整合のシートが２枚ない（つまり１枚しかない）と判断すると（Ｓ９０のＮ）、印刷ジョブ情報１１２に基づいてさらに処理トレイ４２にシートが搬入されてくるかどうかを判断する（Ｓ５０）。ＣＰＵ１００は、さらに処理トレイ４２にシートが搬入されてくると判断すると（Ｓ５０のＹ）、Ｓ２０の判断に戻る。ＣＰＵ１００は、Ｓ５０においてシートが搬入されてこないと判断すると（Ｓ５０のＮ）、未整合シートカウンタ１７０のカウント値を参照し、処理トレイ４２上のシートが全て整合済であるかどうかを判断する（Ｓ６０）。ＣＰＵ１００は、Ｓ６０で未整合のシートがあると判断すると（Ｓ６０のＮ）、未整合のシートを整合処理する（Ｓ４０）。ＣＰＵ１００は、Ｓ６０で処理トレイ上のシートが全て整合済であると判断すると（Ｓ６０のＹ）、本実施形態の制御を終了する。
【００５３】
ＣＰＵ１００は、Ｓ７０で普通紙モードではないと判断すると（Ｓ７０のＮ）、シート種類信号１１０が薄紙モードを示す信号であると判断し、処理トレイ４２にシートが搬入されるまで待機する（Ｓ１００のＮ）。ＣＰＵ１００は、処理トレイ４２にシートが搬入されると（Ｓ１００のＹ）、未整合シートカウンタ１７０のカウント値を参照し、処理トレイ４２上に未整合のシートが３枚あるかどうかを判断する（Ｓ１１０）。ＣＰＵ１００は、処理トレイ４２上に未整合のシートが３枚あると判断すると（Ｓ１１０のＹ）、整合板６１Ａ，６１Ｂを動作させてシートの整合処理を行う（Ｓ４０）。ＣＰＵ１００は、処理トレイ４２上に未整合のシートが３枚ない（つまり１枚または２枚しかない）と判断すると（Ｓ１１０のＮ）、印刷ジョブ情報１１２に基づいてさらに処理トレイ４２にシートが搬入されてくるかどうかを判断する（Ｓ５０）。ＣＰＵ１００は、さらに処理トレイ４２にシートが搬入されてくると判断すると（Ｓ５０のＹ）、Ｓ２０の判断に戻る。ＣＰＵ１００は、Ｓ５０においてシートが搬入されてこないと判断すると（Ｓ５０のＮ）、未整合シートカウンタ１７０のカウント値を参照し、処理トレイ４２上のシートが全て整合済であるかどうかを判断する（Ｓ６０）。ＣＰＵ１００は、Ｓ６０で未整合のシートがあると判断すると（Ｓ６０のＮ）、未整合のシートを整合処理する（Ｓ４０）。ＣＰＵ１００は、Ｓ６０で処理トレイ上のシートが全て整合済であると判断すると（Ｓ６０のＹ）、本実施形態の制御を終了する。
【００５４】
上述のように、処理トレイ４２に搬入されるシートの厚みが小さいほど整合板６１Ａ，６１Ｂが一度に整合するシートの枚数を増加させる制御をＣＰＵ１００が行うことにより、シートの厚みに関係なく良好な整合性を得ることができる。
【００５５】
なお、一度に整合するシートの枚数をそれぞれ１枚、２枚、３枚としたが、この値は適宜変更可能である。
【００５６】
図７は、本発明の第２実施形態に係る後処理装置の処理トレイにおけるシートの搬入位置を示す図である。図８は、本発明の第２実施形態に係る後処理装置における制御部の制御内容を示すフローチャートである。
【００５７】
図７に示すように、処理トレイ４２に搬入されるシートは、ほぼ処理トレイ４２のセンター位置に到達する。ここでは、Ａ４横シート１７１、Ａ４縦シート１７２およびＢ５縦シート１７３を示す。それぞれのシート１７１，１７２，１７３は、整合処理後において各シートの図示右端がライン１７４の位置まで移動する。ここでわかるように、シートの搬入方向に直交する方向におけるサイズが小さいほどシートの整合の際の移動量が大きい。移動量が大きければ、それだけシートとキャタピラベルト４８との間に生じる摩擦によって整合性が悪くなりやすい。そこで、本実施形態では、ＣＰＵ１００が処理トレイ４２上におけるシートの条件に基づいて、すなわちＣＰＵ１００が処理トレイ４２に搬入されるシートの搬入方向に直交する方向におけるサイズが小さいほど整合板６１Ａ，６１Ｂが一度に整合するシートの枚数を増加させる制御を行う例を示す。ここでは、ＣＰＵ１００の整合処理に関するフローのみを示す。
【００５８】
ＣＰＵ１００は、画像形成ユニット２から印刷ジョブ信号１１２を受け取るまで待機する（Ｓ２１０のＮ）。ＣＰＵ１００は、画像形成ユニット２から印刷ジョブ信号１１２を受け取ると（Ｓ２１０のＹ）、同時に受け取ったシートサイズ信号１２０がＡ４横を示す信号であるかどうかを判断する（Ｓ２２０）。ＣＰＵ１００は、Ｓ２２０でシートサイズがＡ４横であると判断すると（Ｓ２２０のＹ）、処理トレイ４２にシートが搬入されるまで待機する（Ｓ２３０のＮ）。ＣＰＵ１００は、処理トレイ４２にシートが搬入されると（Ｓ２３０のＹ）、整合板６１Ａ，６１Ｂを動作させてシートの整合処理を行う（Ｓ２４０）。その後、ＣＰＵ１００は、印刷ジョブ信号１１２に基づいてさらに処理トレイ４２にシートが搬入されてくるかどうかを判断する（Ｓ２５０）。ＣＰＵ１００は、さらに処理トレイ４２にシートが搬入されてくると判断すると（Ｓ２５０のＹ）、Ｓ２２０の判断に戻る。ＣＰＵ１００は、Ｓ２５０においてシートが搬入されてこないと判断すると（Ｓ２５０のＮ）、未整合シートカウンタ１７０のカウント値を参照し、処理トレイ４２上のシートが全て整合済であるかどうかを判断する（Ｓ２６０）。ＣＰＵ１００は、Ｓ２６０で未整合のシートがあると判断すると（Ｓ２６０のＮ）、未整合のシートを整合処理する（Ｓ２４０）（本実施形態では、Ｓ２２０でＹのときにはこの経路には行かない）。ＣＰＵ１００は、Ｓ２６０で処理トレイ４２上のシートが全て整合済であると判断すると（Ｓ２６０のＹ）、本実施形態の制御を終了する。
【００５９】
ＣＰＵ１００は、Ｓ２２０でシートサイズがＡ４横ではないと判断すると（Ｓ２２０のＮ）、シートサイズ信号１２０がＡ４縦を示す信号であるかどうかを判断する（Ｓ２７０）。ＣＰＵ１００は、Ｓ２７０でシートサイズがＡ４縦であると判断すると（Ｓ２７０のＹ）、処理トレイ４２にシートが搬入されるまで待機する（Ｓ２８０のＮ）。ＣＰＵ１００は、処理トレイ４２にシートが搬入されると（Ｓ２８０のＹ）、未整合シートカウンタ１７０のカウント値を参照し、処理トレイ４２上に未整合のシートが２枚あるかどうかを判断する（Ｓ２９０）。ＣＰＵ１００は、処理トレイ４２上に未整合のシートが２枚あると判断すると（Ｓ２９０のＹ）、整合板６１Ａ，６１Ｂを動作させてシートの整合処理を行う（Ｓ２４０）。ＣＰＵ１００は、処理トレイ４２上に未整合のシートが２枚ない（つまり１枚しかない）と判断すると（Ｓ２９０のＮ）、印刷ジョブ情報１１２に基づいてさらに処理トレイ４２にシートが搬入されてくるかどうかを判断する（Ｓ２５０）。ＣＰＵ１００は、さらに処理トレイ４２にシートが搬入されてくると判断すると（Ｓ２５０のＹ）、Ｓ２２０の判断に戻る。ＣＰＵ１００は、Ｓ２５０においてシートが搬入されてこないと判断すると（Ｓ２５０のＮ）、未整合シートカウンタ１７０のカウント値を参照し、処理トレイ４２上のシートが全て整合済であるかどうかを判断する（Ｓ２６０）。ＣＰＵ１００は、Ｓ２６０で未整合のシートがあると判断すると（Ｓ２６０のＮ）、未整合のシートを整合処理する（Ｓ２４０）。ＣＰＵ１００は、Ｓ２６０で処理トレイ上のシートが全て整合済であると判断すると（Ｓ２６０のＹ）、本実施形態の制御を終了する。
【００６０】
ＣＰＵ１００は、Ｓ２７０で普通紙モードではないと判断すると（Ｓ２７０のＮ）、シートサイズ信号１２０がＢ５縦を示す信号であると判断し、処理トレイ４２にシートが搬入されるまで待機する（Ｓ３００のＮ）。ＣＰＵ１００は、処理トレイ４２にシートが搬入されると（Ｓ３００のＹ）、未整合シートカウンタ１７０のカウント値を参照し、処理トレイ４２上に未整合のシートが３枚あるかどうかを判断する（Ｓ３１０）。ＣＰＵ１００は、処理トレイ４２上に未整合のシートが３枚あると判断すると（Ｓ３１０のＹ）、整合板６１Ａ，６１Ｂを動作させてシートの整合処理を行う（Ｓ２４０）。ＣＰＵ１００は、処理トレイ４２上に未整合のシートが３枚ない（つまり１枚または２枚しかない）と判断すると（Ｓ３１０のＮ）、印刷ジョブ情報１１２に基づいてさらに処理トレイ４２にシートが搬入されてくるかどうかを判断する（Ｓ２５０）。ＣＰＵ１００は、さらに処理トレイ４２にシートが搬入されてくると判断すると（Ｓ２５０のＹ）、Ｓ２２０の判断に戻る。ＣＰＵ１００は、Ｓ２５０においてシートが搬入されてこないと判断すると（Ｓ２５０のＮ）、未整合シートカウンタ１７０のカウント値を参照し、処理トレイ４２上のシートが全て整合済であるかどうかを判断する（Ｓ２６０）。ＣＰＵ１００は、Ｓ２６０で未整合のシートがあると判断すると（Ｓ２６０のＮ）、未整合のシートを整合処理する（Ｓ２４０）。ＣＰＵ１００は、Ｓ２６０で処理トレイ上のシートが全て整合済であると判断すると（Ｓ２６０のＹ）、本実施形態の制御を終了する。
【００６１】
上述のように、処理トレイ４２に搬入されるシートの搬入方向に直交する方向におけるサイズが小さいほど整合板６１Ａ，６１Ｂが一度に整合するシートの枚数を増加させる制御をＣＰＵ１００が行うことにより、シートのサイズに関係なく良好な整合性を得ることができる。
【００６２】
なお、本実施形態では一例としてＡ４横、Ａ４縦、Ｂ５縦のシートについて記載したが、他のサイズについても適用可能である。また、一度に整合するシートの枚数をそれぞれ１枚、２枚、３枚としたが、この値は適宜変更可能である。
【００６３】
図９は、本発明の第３実施形態に係る後処理装置のシートとキャタピラベルトとの接触領域を示す図である。図１０は、本発明の第３実施形態に係る後処理装置における制御部の制御内容を示すフローチャートである。
【００６４】
図９に示すように、キャタピラベルト４８は、処理トレイ４２上のシートの積載量によってシートとの接触領域が変化する。シートの積載量が少ないときは、キャタピラベルト４８のうちプーリ５０に近い領域のみがシートと接触するため、接触領域は小さい（図示領域１８０）。シートの積載量が多いときは、キャタピラベルト４８のうち領域１８０よりも搬送ローラ４７に近い領域が接触するため、領域１８０に比べて接触領域が大きい（図示領域１８２）。ここでわかるように、処理トレイ４２上のシートの積載量が大きければ、シートとキャタピラベルト４８との間に生じる摩擦が大きくなるため、シートの整合の際に前記摩擦によって整合性が悪くなりやすい。そこで、本実施形態では、ＣＰＵ１００が処理トレイ４２上におけるシートの条件に基づいて、すなわちＣＰＵ１００が処理トレイ４２に載置されているシートの枚数が多いほど整合板６１Ａ，６１Ｂが一度に整合するシートの枚数を増加させる制御を行う例を示す。ここでは、ＣＰＵ１００の整合処理に関するフローのみを示す。
【００６５】
ＣＰＵ１００は、画像形成ユニット２から印刷ジョブ信号１１２を受け取るまで待機する（Ｓ４１０のＮ）。ＣＰＵ１００は、画像形成ユニット２から印刷ジョブ信号１１２を受け取ると（Ｓ４１０のＹ）、積載枚数カウンタ１３０が１０枚以下を示すかどうかを判断する（Ｓ４２０）。ＣＰＵ１００は、Ｓ４２０で処理トレイ４２上のシートの積載枚数が１０枚以下であると判断すると（Ｓ４２０のＹ）、処理トレイ４２にシートが搬入されるまで待機する（Ｓ４３０のＮ）。ＣＰＵ１００は、処理トレイ４２にシートが搬入されると（Ｓ４３０のＹ）、整合板６１Ａ，６１Ｂを動作させてシートの整合処理を行う（Ｓ４４０）。その後、ＣＰＵ１００は、印刷ジョブ信号１１２に基づいてさらに処理トレイ４２にシートが搬入されてくるかどうかを判断する（Ｓ４５０）。ＣＰＵ１００は、さらに処理トレイ４２にシートが搬入されてくると判断すると（Ｓ４５０のＹ）、Ｓ４２０の判断に戻る。ＣＰＵ１００は、Ｓ４５０においてシートが搬入されてこないと判断すると（Ｓ４５０のＮ）、未整合シートカウンタ１７０のカウント値を参照し、処理トレイ４２上のシートが全て整合済であるかどうかを判断する（Ｓ４６０）。ＣＰＵ１００は、Ｓ４６０で未整合のシートがあると判断すると（Ｓ４６０のＮ）、未整合のシートを整合処理する（Ｓ４４０）（本実施形態では、Ｓ４２０でＹのときにはこの経路には行かない）。ＣＰＵ１００は、Ｓ４６０で処理トレイ４２上のシートが全て整合済であると判断すると（Ｓ４６０のＹ）、本実施形態の制御を終了する。
【００６６】
ＣＰＵ１００は、Ｓ４２０で処理トレイ４２上のシートの積載枚数が１０枚以下ではないと判断すると（Ｓ４２０のＮ）、積載枚数カウンタ１３０が２０枚以下を示すかどうかを判断する（Ｓ４７０）。ＣＰＵ１００は、Ｓ４７０で処理トレイ４２上のシートの積載枚数が２０枚以下であると判断すると（Ｓ４７０のＹ）、処理トレイ４２にシートが搬入されるまで待機する（Ｓ４８０のＮ）。ＣＰＵ１００は、処理トレイ４２にシートが搬入されると（Ｓ４８０のＹ）、未整合シートカウンタ１７０のカウント値を参照し、処理トレイ４２上に未整合のシートが２枚あるかどうかを判断する（Ｓ４９０）。ＣＰＵ１００は、処理トレイ４２上に未整合のシートが２枚あると判断すると（Ｓ４９０のＹ）、整合板６１Ａ，６１Ｂを動作させてシートの整合処理を行う（Ｓ４４０）。ＣＰＵ１００は、処理トレイ４２上に未整合のシートが２枚ない（つまり１枚しかない）と判断すると（Ｓ４９０のＮ）、印刷ジョブ情報１１２に基づいてさらに処理トレイ４２にシートが搬入されてくるかどうかを判断する（Ｓ４５０）。ＣＰＵ１００は、さらに処理トレイ４２にシートが搬入されてくると判断すると（Ｓ４５０のＹ）、Ｓ４２０の判断に戻る。ＣＰＵ１００は、Ｓ４５０においてシートが搬入されてこないと判断すると（Ｓ４５０のＮ）、未整合シートカウンタ１７０のカウント値を参照し、処理トレイ４２上のシートが全て整合済であるかどうかを判断する（Ｓ４６０）。ＣＰＵ１００は、Ｓ４６０で未整合のシートがあると判断すると（Ｓ４６０のＮ）、未整合のシートを整合処理する（Ｓ４４０）。ＣＰＵ１００は、Ｓ４６０で処理トレイ上のシートが全て整合済であると判断すると（Ｓ４６０のＹ）、本実施形態の制御を終了する。
【００６７】
ＣＰＵ１００は、Ｓ４７０で処理トレイ４２上のシートの積載枚数が２０枚以下ではないと判断すると（Ｓ４７０のＮ）、積載枚数カウンタ１３０が２１枚以上を示すと判断し、処理トレイ４２にシートが搬入されるまで待機する（Ｓ５００のＮ）。ＣＰＵ１００は、処理トレイ４２にシートが搬入されると（Ｓ５００のＹ）、未整合シートカウンタ１７０のカウント値を参照し、処理トレイ４２上に未整合のシートが３枚あるかどうかを判断する（Ｓ５１０）。ＣＰＵ１００は、処理トレイ４２上に未整合のシートが３枚あると判断すると（Ｓ５１０のＹ）、整合板６１Ａ，６１Ｂを動作させてシートの整合処理を行う（Ｓ４４０）。ＣＰＵ１００は、処理トレイ４２上に未整合のシートが３枚ない（つまり１枚または２枚しかない）と判断すると（Ｓ５１０のＮ）、印刷ジョブ情報１１２に基づいてさらに処理トレイ４２にシートが搬入されてくるかどうかを判断する（Ｓ４５０）。ＣＰＵ１００は、さらに処理トレイ４２にシートが搬入されてくると判断すると（Ｓ４５０のＹ）、Ｓ４２０の判断に戻る。ＣＰＵ１００は、Ｓ４５０においてシートが搬入されてこないと判断すると（Ｓ４５０のＮ）、未整合シートカウンタ１７０のカウント値を参照し、処理トレイ４２上のシートが全て整合済であるかどうかを判断する（Ｓ４６０）。ＣＰＵ１００は、Ｓ４６０で未整合のシートがあると判断すると（Ｓ４６０のＮ）、未整合のシートを整合処理する（Ｓ４４０）。ＣＰＵ１００は、Ｓ４６０で処理トレイ上のシートが全て整合済であると判断すると（Ｓ４６０のＹ）、本実施形態の制御を終了する。
【００６８】
上述のように、処理トレイ４２に載置されているシートの枚数が多いほど整合板６１Ａ，６１Ｂが一度に整合するシートの枚数を増加させる制御をＣＰＵ１００が行うことにより、処理トレイ４２上のシートの積載枚数に関係なく良好な整合性を得ることができる。
【００６９】
なお、本実施形態では一例として積載枚数が１０枚以下、２０枚以下、２１枚以上の場合について記載したが、この積載枚数は適宜変更可能である。また、一度に整合するシートの枚数をそれぞれ１枚、２枚、３枚としたが、この値も適宜変更可能である。
【００７０】
図１１は、本発明の第４実施形態に係る後処理装置における制御部の制御内容を示すフローチャートである。
【００７１】
処理トレイ４２上のシートを整合処理する際には、図３に示すようにキャタピラベルト４８が自重によってシート上に接触しているため、シートとキャタピラベルトとの間に生じる摩擦によってシートの整合性が悪くなることがある。環境湿度が高いとその分シートが吸湿して腰が弱くなるため、シートの整合性は環境湿度が高いほど悪くなる。そこで、本実施形態では、ＣＰＵ１００が環境条件に基づいて、すなわちＣＰＵ１００が湿度が高いほど整合板６１Ａ，６１Ｂが一度に整合するシートの枚数を増加させる制御を行う例を示す。ここでは、ＣＰＵ１００の整合処理に関するフローのみを示す。
【００７２】
ＣＰＵ１００は、画像形成ユニット２から印刷ジョブ信号１１２を受け取るまで待機する（Ｓ６１０のＮ）。ＣＰＵ１００は、画像形成ユニット２から印刷ジョブ信号１１２を受け取ると（Ｓ６１０のＹ）、湿度センサ１４０が湿度３０％以下を示すかどうかを判断する（Ｓ６２０）。ＣＰＵ１００は、Ｓ６２０で湿度が３０％以下であると判断すると（Ｓ６２０のＹ）、処理トレイ４２にシートが搬入されるまで待機する（Ｓ６３０のＮ）。ＣＰＵ１００は、処理トレイ４２にシートが搬入されると（Ｓ６３０のＹ）、整合板６１Ａ，６１Ｂを動作させてシートの整合処理を行う（Ｓ６４０）。その後、ＣＰＵ１００は、印刷ジョブ信号１１２に基づいてさらに処理トレイ４２にシートが搬入されてくるかどうかを判断する（Ｓ６５０）。ＣＰＵ１００は、さらに処理トレイ４２にシートが搬入されてくると判断すると（Ｓ６５０のＹ）、Ｓ６２０の判断に戻る。ＣＰＵ１００は、Ｓ６５０においてシートが搬入されてこないと判断すると（Ｓ６５０のＮ）、未整合シートカウンタ１７０のカウント値を参照し、処理トレイ４２上のシートが全て整合済であるかどうかを判断する（Ｓ６６０）。ＣＰＵ１００は、Ｓ６６０で未整合のシートがあると判断すると（Ｓ６６０のＮ）、未整合のシートを整合処理する（Ｓ６４０）（本実施形態では、Ｓ６２０でＹのときにはこの経路には行かない）。ＣＰＵ１００は、Ｓ６６０で処理トレイ４２上のシートが全て整合済であると判断すると（Ｓ６６０のＹ）、本実施形態の制御を終了する。
【００７３】
ＣＰＵ１００は、Ｓ６２０で湿度が３０％以下ではないと判断すると（Ｓ６２０のＮ）、湿度センサ１４０が６０％以下を示すかどうかを判断する（Ｓ６７０）。ＣＰＵ１００は、Ｓ６７０で湿度が６０％以下であると判断すると（Ｓ６７０のＹ）、処理トレイ４２にシートが搬入されるまで待機する（Ｓ６８０のＮ）。ＣＰＵ１００は、処理トレイ４２にシートが搬入されると（Ｓ６８０のＹ）、未整合シートカウンタ１７０のカウント値を参照し、処理トレイ４２上に未整合のシートが２枚あるかどうかを判断する（Ｓ６９０）。ＣＰＵ１００は、処理トレイ４２上に未整合のシートが２枚あると判断すると（Ｓ６９０のＹ）、整合板６１Ａ，６１Ｂを動作させてシートの整合処理を行う（Ｓ６４０）。ＣＰＵ１００は、処理トレイ４２上に未整合のシートが２枚ない（つまり１枚しかない）と判断すると（Ｓ６９０のＮ）、印刷ジョブ情報１１２に基づいてさらに処理トレイ４２にシートが搬入されてくるかどうかを判断する（Ｓ６５０）。ＣＰＵ１００は、さらに処理トレイ４２にシートが搬入されてくると判断すると（Ｓ６５０のＹ）、Ｓ６２０の判断に戻る。ＣＰＵ１００は、Ｓ６５０においてシートが搬入されてこないと判断すると（Ｓ６５０のＮ）、未整合シートカウンタ１７０のカウント値を参照し、処理トレイ４２上のシートが全て整合済であるかどうかを判断する（Ｓ６６０）。ＣＰＵ１００は、Ｓ６６０で未整合のシートがあると判断すると（Ｓ６６０のＮ）、未整合のシートを整合処理する（Ｓ６４０）。ＣＰＵ１００は、Ｓ６６０で処理トレイ上のシートが全て整合済であると判断すると（Ｓ６６０のＹ）、本実施形態の制御を終了する。
【００７４】
ＣＰＵ１００は、Ｓ６７０で湿度が６０％以下ではないと判断すると（Ｓ６７０のＮ）、湿度センサ１４０が６０％を超える値を示すと判断し、処理トレイ４２にシートが搬入されるまで待機する（Ｓ７００のＮ）。ＣＰＵ１００は、処理トレイ４２にシートが搬入されると（Ｓ７００のＹ）、未整合シートカウンタ１７０のカウント値を参照し、処理トレイ４２上に未整合のシートが３枚あるかどうかを判断する（Ｓ７１０）。ＣＰＵ１００は、処理トレイ４２上に未整合のシートが３枚あると判断すると（Ｓ７１０のＹ）、整合板６１Ａ，６１Ｂを動作させてシートの整合処理を行う（Ｓ６４０）。ＣＰＵ１００は、処理トレイ４２上に未整合のシートが３枚ない（つまり１枚または２枚しかない）と判断すると（Ｓ７１０のＮ）、印刷ジョブ情報１１２に基づいてさらに処理トレイ４２にシートが搬入されてくるかどうかを判断する（Ｓ６５０）。ＣＰＵ１００は、さらに処理トレイ４２にシートが搬入されてくると判断すると（Ｓ６５０のＹ）、Ｓ６２０の判断に戻る。ＣＰＵ１００は、Ｓ６５０においてシートが搬入されてこないと判断すると（Ｓ６５０のＮ）、未整合シートカウンタ１７０のカウント値を参照し、処理トレイ４２上のシートが全て整合済であるかどうかを判断する（Ｓ６６０）。ＣＰＵ１００は、Ｓ６６０で未整合のシートがあると判断すると（Ｓ６６０のＮ）、未整合のシートを整合処理する（Ｓ６４０）。ＣＰＵ１００は、Ｓ６６０で処理トレイ上のシートが全て整合済であると判断すると（Ｓ６６０のＹ）、本実施形態の制御を終了する。
【００７５】
上述のように、湿度が高いほど整合板６１Ａ，６１Ｂが一度に整合するシートの枚数を増加させる制御をＣＰＵ１００が行うことにより、湿度に関係なく良好な整合性を得ることができる。
【００７６】
なお、本実施形態では一例として湿度が３０％以下、６０％以下、６０％を超える値について記載したが、この値は適宜変更可能である。また、一度に整合するシートの枚数をそれぞれ１枚、２枚、３枚としたが、この値も適宜変更可能である。
【００７７】
本発明の実施形態として第１実施形態から第４実施形態に分けて記載したが、各実施形態を任意に組み合わせても本発明の効果を奏することができる。
【００７８】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７９】
１−画像形成装置
２−画像形成ユニット
４−後処理装置
４２−処理トレイ
６１Ａ−整合板
６１Ｂ−整合板
１００−ＣＰＵ
【図１】
2010168125.tif 000003
【図２】
2010168125.tif 000004
【図３】
2010168125.tif 000005
【図４】
2010168125.tif 000006
【図５】
2010168125.tif 000007
【図６】
2010168125.tif 000008
【図７】
2010168125.tif 000009
【図８】
2010168125.tif 000010
【図９】
2010168125.tif 000011
【図１０】
2010168125.tif 000012
【図１１】
2010168125.tif 000013